【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
コンピュータ実装方法であって、
電子デバイスの画面上にユーザ・インターフェースの複数の構成要素を階層的に配置することであって、階層は、１つまたは複数のレイヤを有し、各レイヤは、少なくとも１つのユーザ・インターフェース構成要素を有する、前記配置すること、
階層の構造に従って前記ユーザ・インターフェースを提示することであって、
前記ユーザ・インターフェースの第１のレイヤ上にバックグラウンド構成要素を表示すること、
前記第１のレイヤと重なる、前記ユーザ・インターフェースの第２のレイヤ上に積み重ねられた複数のイメージのパイルを表示すること、
ここで、前記パイルは、パイルに積み重ねられた複数のイメージがあるのを視覚的に示し、
積み重ねられた複数のイメージのパイルとインタラクションするための第１のユーザ入力に応答して、
画面のサイズおよび複数のイメージの各々の所定のサイズに基づいて表示するイメージの数を決定すること、ここで、前記イメージの数は、複数のイメージよりも少なく、
該パイルを展開して該数のイメージを連続的に表示することを含む、前記提示すること
を含み、
展開されたイメージの数のイメージは、画面の実質的に全体をカバーし、かつ少なくとも１つの全体が表示されたイメージと、部分的にのみ表示された少なくとも１つのイメージとを含み、少なくとも１つの部分的に表示されたイメージが画面の端部に表示されて、展開されたイメージに亘ってスクロールするための第２のユーザ入力に応答して部分的に表示されたイメージの残りが表示されるようにし、
前記ユーザ・インターフェースの前記第２のレイヤ上の複数のイメージ亘ってスクロールすることは、前記第１のレイヤ上の前記バックグラウンド構成要素とは独立して生じ、
表示されるイメージは、画面の方向に基づくレイアウトで全てが表示される、コンピュータ実装方法。
【請求項２】
連続に関連する第２のユーザ入力に応答して、連続を折り畳んで前記複数のイメージのうちの第１のイメージを前記パイルとして表示することをさらに含む、請求項１に記載の方法。
【請求項３】
前記イメージを連続として表示することが、
前記イメージを垂直の列で順次表示することを含む、請求項１に記載の方法。
【請求項４】
前記イメージが、フォト・アルバムに属する複数の写真である、請求項１に記載の方法。
【請求項５】
前記パイルに関連する前記第１のユーザ入力に応答して、前記フォト・アルバムに関する１つまたは複数のユーザ・コメントをイメージの連続の下に表示することをさらに含む、請求項４に記載の方法。
【請求項６】
ソフトウェアを実施する１つまたは複数のコンピュータ可読非一時的記憶媒体であって、前記ソフトウェアが、実行されたときに、
電子デバイスの画面上にユーザ・インターフェースの複数の構成要素を階層的に配置し、階層は、１つまたは複数のレイヤを有し、各レイヤは、少なくとも１つのユーザ・インターフェース構成要素を有し、
階層の構造に従って前記ユーザ・インターフェースを提示し、この提示では、
前記ユーザ・インターフェースの第１のレイヤ上にバックグラウンド構成要素を表示し、
前記第１のレイヤと重なる、前記ユーザ・インターフェースの第２のレイヤ上に積み重ねられた複数のイメージのパイルを表示し、
ここで、前記パイルは、該パイルに積み重ねられた複数のイメージがあるのを視覚的に示し、
積み重ねられた複数のイメージのパイルとインタラクションするための第１のユーザ入力に応答して、
画面のサイズおよび複数のイメージの各々の所定のサイズに基づいて表示するイメージの数を決定し、ここで、前記イメージの数は、複数のイメージよりも少なく、
該パイルを展開して該数のイメージを連続的に表示するように動作可能であり、
展開されたイメージの数のイメージは、画面の実質的に全体をカバーし、かつ少なくとも１つの全体が表示されたイメージと、部分的にのみ表示された少なくとも１つのイメージとを含み、少なくとも１つの部分的に表示されたイメージが画面の端部に表示されて、展開されたイメージに亘ってスクロールするための第２のユーザ入力に応答して部分的に表示されたイメージの残りが表示されるようにし、
前記ユーザ・インターフェースの前記第２のレイヤ上の複数のイメージ亘ってスクロールすることは、前記第１のレイヤ上の前記バックグラウンド構成要素とは独立して生じ、
表示されるイメージは、画面の方向に基づくレイアウトで全てが表示される、媒体。
【請求項７】
前記ソフトウェアが、実行されたときに、
連続に関連する第２のユーザ入力に応答して、連続を折り畳んで前記複数のイメージのうちの第１のイメージを前記パイルとして表示するようにさらに動作可能である、請求項６に記載の媒体。
【請求項８】
前記イメージを連続として表示することが、
前記イメージを垂直の列で順次表示することを含む、請求項６に記載の媒体。
【請求項９】
前記イメージが、フォト・アルバムに属する複数の写真である、請求項６に記載の媒体。
【請求項１０】
前記ソフトウェアが、実行されたときに、
前記パイルに関連する前記第１のユーザ入力に応答して、前記フォト・アルバムに関する１つまたは複数のユーザ・コメントをイメージの連続の下に表示するようにさらに動作可能である、請求項９に記載の媒体。
【請求項１１】
システムであって、
１つまたは複数のプロセッサと、
該プロセッサに結合され、該プロセッサによって実行可能な命令を含むメモリと
を備え、該プロセッサが、該命令を実行したときに、
電子デバイスの画面上にユーザ・インターフェースの複数の構成要素を階層的に配置し、階層は、１つまたは複数のレイヤを有し、各レイヤは、少なくとも１つのユーザ・インターフェース構成要素を有し、
階層の構造に従って前記ユーザ・インターフェースを提示し、この提示では、
前記ユーザ・インターフェースの第１のレイヤ上にバックグラウンド構成要素を表示し、
前記第１のレイヤと重なる、前記ユーザ・インターフェースの第２のレイヤ上に積み重ねられた複数のイメージのパイルを表示し、
ここで、前記パイルは、該パイルに積み重ねられた複数のイメージがあるのを視覚的に示し、
積み重ねられた複数のイメージのパイルとインタラクションするための第１のユーザ入力に応答して、
画面のサイズおよび複数のイメージの各々の所定のサイズに基づいて表示するイメージの数を決定し、ここで、前記イメージの数は、複数のイメージよりも少なく、
該パイルを展開して該数のイメージを連続として表示するように動作可能であり、
展開されたイメージの数のイメージは、画面の実質的に全体をカバーし、かつ少なくとも１つの全体が表示されたイメージと、部分的にのみ表示された少なくとも１つのイメージとを含み、少なくとも１つの部分的に表示されたイメージが画面の端部に表示されて、展開されたイメージに亘ってスクロールするための第２のユーザ入力に応答して部分的に表示されたイメージの残りが表示されるようにし、
前記ユーザ・インターフェースの前記第２のレイヤ上の複数のイメージ亘ってスクロールすることは、前記第１のレイヤ上の前記バックグラウンド構成要素とは独立して生じ、
表示されるイメージは、画面の方向に基づくレイアウトで全てが表示される、システム。
【請求項１２】
前記プロセッサが、前記命令を実行したときに、
連続に関連する第２のユーザ入力に応答して、連続を折り畳んで前記複数のイメージのうちの第１のイメージを前記パイルとして表示するようにさらに動作可能である、請求項１１に記載のシステム。
【請求項１３】
前記イメージを連続として表示することが、
前記イメージを垂直の列で順次表示することを含む、請求項１１に記載のシステム。
【請求項１４】
前記イメージが、フォト・アルバムに属する複数の写真である、請求項１１に記載のシステム。
【請求項１５】
前記プロセッサが、前記命令を実行したときに、
前記パイルに関連する前記第１のユーザ入力に応答して、前記フォト・アルバムに関する１つまたは複数のユーザ・コメントをイメージの連続の下に表示するようにさらに動作可能である、請求項１４に記載のシステム。